Podtech/llm-jp-corpus-v4-ja_patent huggingface dataset:
【手続補正書】
【提出日】平成17年10月17日(2005.10.17)
【手続補正１】
【補正対象書類名】特許請求の範囲
【補正対象項目名】全文
【補正方法】変更
【補正の内容】
【特許請求の範囲】
【請求項１】
患者の心疾患を治療するシステムであって：
電極を患者の交感神経にある少なくとも１つの神経節と接続し、上記の少なくとも１つの神経節は心収縮性と関連しているものである手段と；
少なくとも１つの神経節と接続した上記電極に電気シグナルをかける手段と；
心臓が収縮するまで上記電気シグナルの少なくとも１つのパラメータを調節する手段とを有する。
【請求項２】
請求項１のシステムにおいて、少なくとも１つの神経節は、Ｔ−１〜Ｔ−４神経節、頸部神経節、その組み合わせから成るグループから選択されるものである。
【請求項３】
請求項１のシステムにおいて、上記電気シグナルは断続的にかけられるものである。
【請求項４】
請求項１のシステムにおいて、上記患者は心収縮性障害に罹患しているものである。
【請求項５】
請求項４のシステムにおいて、上記の心収縮性障害は心筋症である。
【請求項６】
請求項５のシステムにおいて、上記の心収縮性障害は肥大型心筋症である。
【請求項７】
請求項６のシステムにおいて、さらに上記患者に一定量の薬物を投与し、上記電気シグナルの作用をもたらす手段を有する。
【請求項８】
請求項１のシステムにおいて、上記の少なくとも１つの神経節の電気刺激は、β受容体の作用を模倣するものである。
【請求項９】
請求項１のシステムにおいて、上記電気刺激は組織プラスミノーゲンアクチベーターの放出に有効である。
【請求項１０】
請求項１のシステムにおいて、上記電気刺激はアンギオテンシンＩＩの調節に有効である。
【請求項１１】
心疾患を治療するため、患者の神経−内分泌系にパターンを確立あるいは補足するシステムであって：
電極を患者の交感神経にある少なくとも１つの神経節と接続し、上記の少なくとも１つの神経節は患者の内分泌系と関連している、手段と；
電気シグナルを上記電極にかけ、少なくとも１つの神経節を刺激し、それによって患者の内分泌系にパターンを確立あるいは補足する手段とを有する。
【請求項１２】
請求項１のシステムにおいて、少なくとも１つの神経節は、Ｔ−１〜Ｔ−４神経節、頸部神経節、その組み合わせから成るグループから選択されるものである。
【請求項１３】
請求項１のシステムにおいて、さらに患者に一定量の薬物を投与し、その患者の内分泌系に確立されたパターンを補足する手段を有する。
【請求項１４】
請求項１３のシステムにおいて、上記の電気シグナルをかける手段は、薬物受容体がアップレギュレートするものである場合。
【請求項１５】
請求項１３のシステムにおいて、上記受容体のアップレギュレーションが休息中に生じ、それによって患者の活動中に神経ホルモンの放出増加を補うものである。
【請求項１６】
請求項１３のシステムにおいて、上記の薬物はＡＣＥ阻害薬とβ遮断薬から成るグループから選択されるものである。
【請求項１７】
請求項１３のシステムにおいて、薬物の量は、少なくとも１つの神経節を電気刺激する効果によって判断されるものである。
【請求項１８】
請求項１１のシステムにおいて、上記の電気シグナルをかける手段は、患者の内分泌系と関連した内因性化学物質受容体がアップレギュレートされるものである。
【請求項１９】
請求項１８のシステムにおいて、上記受容体のアップレギュレーションは休息中に生じ、それによって患者の活動中の神経ホルモン放出増加を補うものである。
【請求項２０】
それを必要とする患者の神経−内分泌系パターンを補足あるいは確立する装置であって：
上記患者の交感神経鎖にある少なくとも１つの神経節と接続した、１以上の電極と；
上記の１つ以上の電極に電気シグナルをかけ、少なくとも１つの神経節を刺激して、患者の神経−内分泌系パターンを補足あるいは確立する装置と；
上記患者の１つ以上のパラメータをモニターし、上記の１つ以上の電極に対する電気シグナルの適用を調節し、内因性化学物質のレベルを調節する装置とを有する。
【請求項２１】
請求項２０の装置において、さらに、放出される内因性化学物質のレベルに基づき、治療活性のある化合物の上記患者への送達を制御する調節装置を有する。
【手続補正書】
【提出日】平成17年11月29日(2005.11.29)
【手続補正１】
【補正対象書類名】特許請求の範囲
【補正対象項目名】全文
【補正方法】変更
【補正の内容】
【特許請求の範囲】
【請求項１】
複数の膨張可能なプロテーゼを人体管腔の中に送達するためのカテーテルであって、
近位端部と遠位端部とを有するカテーテル本体と、
カテーテル本体の上を覆って同軸に配置されたシースと、
シース内部においてカテーテルの遠位部分すべてを覆って配置された半径方向に膨張可能な複数のプロテーゼと
を含み、
シースが、カテーテル本体とプロテーゼとに対して近位方向に引っ込められて、シースの遠位端部の先でプロテーゼを露出させることができる前記カテーテル。
【請求項２】
シースの中に、プロテーゼの近くに、カテーテル本体を覆って同軸に配置されたプッシャ・チューブをさらに含み、プッシャ・チューブは最近位プロテーゼの近位端部に係合され、プッシャ・チューブは適所に保持され、シースが近位方向に引っ込められたときに、個別プロテーゼまたはプロテーゼのグループを露出させることができる請求項１に記載のカテーテル。
【請求項３】
カテーテル本体がその遠位端部の近くに膨張エレメントを含み、その膨張エレメントは引っ込み可能なシースに対して遠位に位置決め可能であり、プロテーゼの１つまたは複数を半径方向に膨張させる請求項１または２に記載のカテーテル。
【請求項４】
プロテーゼの遠位端部を、予め選択された個数のプロテーゼの最近位プロテーゼに隣接して係合するために、シースの遠位端部にバルブ部材をさらに含む請求項１から３までのいずれかに記載のカテーテル。
【手続補正書】
【提出日】平成17年7月4日(2005.7.4)
【手続補正１】
【補正対象書類名】特許請求の範囲
【補正対象項目名】全文
【補正方法】変更
【補正の内容】
【特許請求の範囲】
【請求項１】
女性の乳房から漏れる流体を吸収し、女性が着用する衣類の汚れを最小限にするための乳房パッドであって、
乳房に向く表側及び衣類に向く裏側、
を有し、
前記表側は、乳房及び乳頭皮膚の健康を増進するための組成物を約０．１ｇ／ｍ2から約３０ｇ／ｍ2含み、
前記組成物は、「オメガ−３」脂肪酸を含む、
ことを特徴とする乳房パッド。
【請求項２】
前記組成物は、約４０％（組成物の全重量に対して）から約６０％（組成物の全重量に対して）の凝固剤を更に含むことを特徴とする請求項１に記載の乳房パッド。
【請求項３】
前記組成物は、約１％（組成物の全重量に対して）から約４０％（組成物の全重量に対して）の脂肪アルコールを更に含むことを特徴とする請求項１に記載の乳房パッド。
【請求項４】
前記組成物は、ステロール、ステロール誘導体、及びその混合物から成る群から選択された約０．１％（組成物の全重量に対して）から約１０％（組成物の全重量に対して）の添加物を更に含むことを特徴とする請求項１に記載の乳房パッド。
【請求項５】
前記組成物は、約０．１％（組成物の全重量に対して）から約１０％（組成物の全重量に対して）の抽出植物性薬品を更に含むことを特徴とする請求項１に記載の乳房パッド。
【請求項６】
前記組成物は、約０．１％（組成物の全重量に対して）から約１０％（組成物の全重量に対して）の皮膚軟化剤を更に含むことを特徴とする請求項１に記載の乳房パッド。
【請求項７】
前記組成物は、約１％（組成物の全重量に対して）から約２０％（組成物の全重量に対して）の粘性エンハンサーを更に含むことを特徴とする請求項１に記載の乳房パッド。
【請求項８】
前記組成物は、約０．５％（組成物の全重量に対して）から約１０％（組成物の全重量に対して）の流量エンハンサーを更に含むことを特徴とする請求項１に記載の乳房パッド。
【請求項９】
女性の乳房から漏れる流体を吸収し、女性が着用する衣類の汚れを最小限にするための乳房パッドであって、
乳房に向く表側及び衣類に向く裏側、
を有し、
前記表側は、乳房及び乳頭皮膚の健康を増進するための組成物を約０．１ｇ／ｍ2から約３０ｇ／ｍ2含み、
前記組成物は、「オメガ−３」脂肪酸及び「オメガ−６」脂肪酸を含む、
ことを特徴とする乳房パッド。
【請求項１０】
女性の乳房から漏れる流体を吸収し、女性が着用する衣類の汚れを最小限にするための乳房パッドであって、
乳房に向く表側及び衣類に向く裏側、
を有し、
前記表側は、乳房及び乳頭皮膚の健康を増進するための組成物を約０．１ｇ／ｍ2から約３０ｇ／ｍ2含み、
前記組成物は、「オメガ−３」脂肪酸及び必須脂肪酸を含む、
ことを特徴とする乳房パッド。
【請求項１１】
前記組成物は、「オメガ−６」脂肪酸を更に含むことを特徴とする請求項１０に記載の乳房パッド。
【請求項１２】
女性の乳房から漏れる流体を吸収し、女性が着用する衣類の汚れを最小限にするための乳房パッドであって、
乳房に向く表側及び衣類に向く裏側、
を有し、
前記表側は、乳房及び乳頭皮膚の健康を増進するための組成物を約０．１ｇ／ｍ2から約３０ｇ／ｍ2含み、
前記組成物は、約１％（組成物の全重量に対して）から約１５％（組成物の全重量に対して）のアマニ油を含む、
ことを特徴とする乳房パッド。
【請求項１３】
約１％（組成物の全重量に対して）から約１５％（組成物の全重量に対して）の必須脂肪酸を更に含むことを特徴とする請求項１２に記載の乳房パッド。
【請求項１４】
女性の乳房から漏れる流体を吸収し、女性が着用する衣類の汚れを最小限にするための乳房パッドであって、
乳房に向く表側及び衣類に向く裏側、
を有し、
前記表側は、乳房及び乳頭皮膚の健康を増進するための組成物を約０．１ｇ／ｍ2から約３０ｇ／ｍ2含み、
前記組成物は、リノレン酸、アルファリノレン酸、エイコサペンタエン酸、及びドコサヘキサエン酸を含む、
ことを特徴とする乳房パッド。
【請求項１５】
授乳婦の乳房の乳頭圧痛及びひび割れを治療又は防止する方法であって、
女性に着用され、該着用者に向く表側及び衣類に向く裏側を有する乳房パッドの表側上に、「オメガ−３」脂肪酸を含む組成物を導入する段階と、
前記「オメガ−３」脂肪酸が乳房の乳頭に接触し、授乳中に母親から失われた皮膚脂質を補充するように、着用中に前記乳房パッドの前記表側から女性の乳頭及び乳房に前記組成物を移動させる段階と、
を含むことを特徴とする方法。
【請求項１６】
前記組成物は、必須脂肪酸を更に含むことを特徴とする請求項１５に記載の方法。
【請求項１７】
前記組成物は、「オメガ−６」脂肪酸を更に含むことを特徴とする請求項１５に記載の方法。
【請求項１８】
母乳栄養児の栄養摂取を補う方法であって、
乳児に授乳する女性に着用され、該着用者に向く表側及び衣類に向く裏側を有する乳房パッドの表側上に、「オメガ−３」脂肪酸を含む組成物を導入する段階と、
前記「オメガ−３」脂肪酸が前記女性の乳頭及び乳房に接触するように、着用中に前記乳房パッドの前記表側から該女性の乳頭及び乳房に前記組成物を移動させる段階と、
前記「オメガ−３」脂肪酸が前記乳児に摂取されるように、該乳児を授乳中に前記女性の乳頭及び乳房から該乳児に前記「オメガ−３」脂肪酸を移動させる段階と、
を含むことを特徴とする方法。
【請求項１９】
前記組成物は、必須脂肪酸を更に含むことを特徴とする請求項１８に記載の方法。
【請求項２０】
前記組成物は、「オメガ−６」脂肪酸を更に含むことを特徴とする請求項１８に記載の方法。
【手続補正書】
【提出日】平成17年11月21日(2005.11.21)
【手続補正１】
【補正対象書類名】特許請求の範囲
【補正対象項目名】全文
【補正方法】変更
【補正の内容】
【特許請求の範囲】
【請求項１】
病原体不活化処置の準備の出来た血液生成物を調製するための方法であって、該方法は、以下：
少なくとも１つの予め取り付けられた暫定容器、液体合成媒体を含む容器、および移動容器を備える容器システムを提供する工程であって、ここで、該媒体容器および該移動容器が、該暫定容器と開放可能に流体連絡する、工程；
該容器システムとは別個に、アフェレーシス手順由来の一定量の血液成分を含む供給源容器を提供する工程；
該供給源容器と該暫定容器との間の流体連絡を確立する工程；
該暫定容器に該アフェレーシス由来の血液成分を移す工程；
該暫定容器を遠心分離して、該血液成分を、該血液成分と水性溶液成分とに実質的に分離する工程、
該水性溶液成分の層を該暫定容器から実質的に除去し、そして該水性溶液成分を、該空の移動容器に移す工程；ならびに
選択された量の該血液成分を、選択された量の該合成媒体と、該暫定容器内で合わせ、該病原体不活化処理のために有効な、該水性溶液成分対該合成媒体の予め選択された比率を有する血液生成物を提供する工程、
を包含する、方法。
【請求項２】
前記血液成分が実質的に血漿中の血小板を含む、請求項１に記載の方法。
【請求項３】
請求項１に記載の方法であって、該方法は、前記移す工程の前に、合成媒体に対する血液成分の選択された比率を達成するように前記血液成分と組み合わせるために必要とされる前記合成媒体の量を決定する工程を包含する、方法。
【請求項４】
請求項１に記載の方法であって、前記供給源容器と暫定容器との間の流体連絡を確立する工程が、実質的に滅菌様式で実施される、方法。
【請求項５】
滅菌連絡デバイスが使用される、請求項４に記載の方法。
【請求項６】
請求項１に記載の方法であって、前記血液成分と一緒に残っている前記水性溶液の量を決定する工程をさらに包含する、方法。
【請求項７】
前記決定する工程の後に、前記暫定容器内の前記水性溶液の量を調整する工程をさらに包含する、請求項６に記載の方法。
【請求項８】
前記決定する工程の後に、一定量の前記水性溶液を、前記移動容器から前記暫定容器に戻して移動させる工程をさらに包含する、請求項７に記載の方法。
【請求項９】
請求項２に記載の方法であって、該方法は、以下：
前記暫定容器に前記血漿中の前記血小板を移す工程の後であるが、該血小板を前記貯蔵媒体と合わせる工程の前に、該血漿中の該血小板を、濃縮した血小板と血漿へと分離する工程；
前記移動容器に選択された量の該分離した血漿を移す工程；
選択された量の前記媒体を該暫定容器に導入する工程；および
必要とされる場合、前記相対量を達成するために該移動容器から該暫定容器に血漿を移す工程、
をさらに包含する、方法。
【請求項１０】
請求項２に記載の方法であって、該方法は、
前記暫定容器に、３×１０１１個の血小板を含む、約２５０〜３５０ｍｌの血小板および血漿を移す工程；ならびに
前記移動容器に約１８０〜２００ｍｌの血漿を移す工程；
を包含する方法。
【請求項１１】
前記濃縮した血小板に約１８０ｍｌの液体合成媒体を添加する工程を包含する、請求項１０に記載の方法。
【請求項１２】
塩化ナトリウム、クエン酸ナトリウム、酢酸ナトリウム、およびリン酸ナトリウムをほぼ含む合成媒体を含む容器を提供する工程を包含する、請求項１に記載の方法。
【請求項１３】
約４５〜１２０ｍＭの塩化ナトリウム、約５〜１５ｍＭのクエン酸ナトリウム、約２０〜４０ｍＭの酢酸ナトリウム、および約２０〜４０ｍＭのリン酸ナトリウムを含む合成媒体を含む容器を提供する工程を包含する、請求項１２に記載の方法。
【請求項１４】
約７７．４ｍＭの塩化ナトリウム、約１０．８ｍＭのクエン酸ナトリウム、約３２．５ｍＭの酢酸ナトリウム、および約２８．２ｍＭのリン酸ナトリウムを含む合成媒体を含む容器を提供する工程を包含する、請求項１３に記載の方法。
【請求項１５】
前記合わせる工程の後に、使い捨ての病原体不活化処理セットに前記暫定容器を接続する工程をさらに含む、請求項１に記載の方法。
【請求項１６】
前記合成媒体および血漿中に懸濁した血小板の相対量が、血漿中において、ほぼ、貯蔵媒体６０〜７０％：血小板３０〜４０％である、請求項２に記載の方法。
【請求項１７】
血小板、合成貯蔵媒体、および血漿を含む血液血小板生成物を調製するための容器システムであって、該容器システムは、以下：
塩化ナトリウム、クエン酸ナトリウム、酢酸ナトリウム、およびリン酸ナトリウムを含む合成貯蔵媒体を含む容器と流体連絡するための、空の暫定容器および流体経路；
該流体経路と結合した流体制御デバイス；
を備え、
該暫定容器が、少なくとも１治療用量の血小板を含む血小板供給源に対して滅菌連絡するように適合されている、容器システム。
【請求項１８】
請求項１７に記載の容器システムであって、該容器システムは、空の移動容器および流体経路をさらに備え、該流体経路は、該移動容器と前記暫定容器との間の流体連絡を提供する、容器システム。
【請求項１９】
前記合成貯蔵媒体が、約４５〜１２０ｍＭの塩化ナトリウム、約５〜１５ｍＭのクエン酸ナトリウム、約２０〜４０ｍＭの酢酸ナトリウム、および約２０〜４０ｍＭのリン酸ナトリウムを含む、請求項１７に記載の容器システム。
【請求項２０】
前記合成貯蔵媒体が、約７７．４ｍＭの塩化ナトリウム、約１０．８ｍＭのクエン酸ナトリウム、約３２．５ｍＭの酢酸ナトリウム、および約２８．２ｍＭのリン酸ナトリウムを含む、請求項１７に記載の容器システム。
【請求項２１】
前記暫定容器が、使い捨ての病原体不活化処理セットとの流体連絡を確立するための流体経路を備える、請求項１７に記載の容器システム。
【手続補正書】
【提出日】平成17年11月9日(2005.11.9)
【手続補正１】
【補正対象書類名】明細書
【補正対象項目名】０００８
【補正方法】変更
【補正の内容】
【０００８】
上述の通り、多くの医療的処置及び非医療的な出来事が、封止が必要な開口を身体に生じさせ得る。開口は、肺から空気が逃出することを止めるためだけではなく、他の身体部位から体液が逃出することを止めるためにも、閉鎖しなければならない。開口閉鎖のための封止手段は、血液、大脳髄液及び他の流体の流出を止めるために必要とされる。
【手続補正書】
【提出日】平成18年1月17日(2006.1.17)
【手続補正１】
【補正対象書類名】特許請求の範囲
【補正対象項目名】全文
【補正方法】変更
【補正の内容】
【特許請求の範囲】
【請求項１】
ハンドルと、
ハンドルの遠位端に接続されたノーズピースと、
ノーズピースに接続された骨固定具と、
ハンドルに配置されて骨固定具を配備するアクチュエータと、
ハンドルに配置されて、骨固定具に付随する縫合糸の張力を調節する縫合糸張力調節機構とを備えていることを特徴とする骨固定具挿入装置。
【請求項２】
前記縫合糸張力調節機構は縫合糸ノブと縫合糸ラチェットホイールを備えており、縫合糸ノブは回転自在で、縫合糸ラチェットホイールを回転させることを特徴とする、請求項１に記載の骨固定具挿入装置。
【請求項３】
前記縫合糸ラチェットホイールは、縫合糸ラチェットホイールに配置されて前記縫合糸の自由端を受取る縫合糸固定スリットを有していることを特徴とする、請求項２に記載の骨固定具挿入装置。
【請求項４】
前記縫合糸は、骨の一部に付着されるべき柔組織の一部に固定されることを特徴とする、請求項１に記載の骨固定具挿入装置。
【請求項５】
前記骨固定具は管状本体部を備えており、該本体部を通って前記縫合糸を受取るようになっていることを特徴とする、請求項１に記載の骨固定具挿入装置。
【請求項６】
骨固定具挿入装置は
ハンドルと、
ハンドルの遠位端に接続されたノーズピースとを備えており、ノーズピースは遠位端に縫合糸開口部が形成された外側管と、外側管の内部に同軸配置された内側管とからなり、内側管は長手方向軸線方向開口部を有しており、内側管は外側管に対して固定されており、
骨固定具挿入装置は、
内側管に挿入できる引寄せ管と、
引寄せ管に配置された骨固定具とを更に備えており、骨固定具は隣接する骨質に係合して骨固定具を骨質に固着させる、左右横方向に配備できる部材を有しており、
骨固定具挿入装置は、
ハンドルに配置されて、引寄せ管を近位方向に引っ張り、横方向に配備できる部材を内側管の遠位端面と係合させることにより、骨固定具の横方向に配備可能な部材を配備するアクチュエータを更に備えていることを特徴とする装置。
【請求項７】
前記横方向に配備できる部材はトグルリング部材を備えていることを特徴とする、請求項６に記載の骨固定具挿入装置。
【請求項８】
前記骨固定具に付随して、骨固定具内に据え置かれた或る長さの縫合糸を動かないように固定する縫合糸固定部材を更に備えていることを特徴とする、請求項６に記載の骨固定具挿入装置。
【請求項９】
前記縫合糸固定部材は前記引寄せ管の遠位端に接続されているため、前記骨固定具の前記横方向に配備できる部材を配備した後で前記ハンドルの前記アクチュエータを更に作動させることにより、縫合糸固定部材が近位方向に移動して、前記長さの縫合糸と係合して、縫合糸を動かないように固定することを特徴とする、請求項８に記載の骨固定具挿入装置。
【請求項１０】
前記縫合糸固定部材は縫合糸プラグを備えていることを特徴とする、請求項９に記載の骨固定具挿入装置。
【請求項１１】
前記引寄せ管の遠位端に配置されて、前記骨固定具を引寄せ管に取付けるタブを更に備えており、タブは横方向に配備できる部材が完全に配備されてしまってから、引寄せ管が引き続き近位方向に移動すると破壊されるように設計されているため、引寄せ管を更に近位方向に移動させることで、縫合糸固定部材を近位方向に移動させることを特徴とする、請求項９に記載の骨固定具挿入装置。
【請求項１２】
前記ハンドルに配置されて、前記骨固定具に付随している縫合糸の張力を調節する縫合糸張力調節機構を更に備えていることを特徴とする、請求項６に記載の骨固定具挿入装置。
【請求項１３】
前記縫合糸張力調節機構は縫合糸ノブと縫合糸ラチェットホイールを備えており、縫合糸ノブは回転自在であり、縫合糸ラチェットホイールを回転させることを特徴とする、請求項１２に記載の骨固定具挿入装置。
【請求項１４】
前記縫合糸ラチェットホイールは、そこに配置されて前記縫合糸の自由端を受取る縫合糸固定スリットを有していることを特徴とする、請求項１３に記載の骨固定具挿入装置。
【手続補正書】
【提出日】平成17年10月24日(2005.10.24)
【手続補正１】
【補正対象書類名】特許請求の範囲
【補正対象項目名】全文
【補正方法】変更
【補正の内容】
【特許請求の範囲】
【請求項１】
子宮内膜症に罹患しているか又は罹患しやすい女性を治療するための医薬であって、インターフェロン−ガンマ（ＩＦＮ−γ）の有効量を含む医薬。
【請求項２】
子宮内膜症に罹患しているか又は罹患しやすい女性を治療するための医薬であって、サイトカインアンタゴニストの有効量を含む医薬。
【請求項３】
子宮内膜症に罹患しているか又は罹患しやすい女性を治療するための医薬であって、ＩＦＮ−γとサイトカインアンタゴニストとの組み合わせの治療有効量を含む医薬。
【請求項４】
子宮内膜症に罹患しているか又は罹患しやすい女性を治療するための医薬であって、抗エストロゲン剤と組み合わせてＩＦＮ−γの治療有効量を含む医薬。
【請求項５】
子宮内膜症に罹患しているか又は罹患しやすい女性を治療するための医薬であって、抗エストロゲン剤と組み合わせてサイトカインアンタゴニストの治療有効量を含む医薬。
【請求項６】
子宮内膜症に罹患しているか又は罹患しやすい女性を治療するための医薬であって、抗エストロゲン剤と組み合わせてＩＦＮ−γ及びサイトカインアンタゴニストの治療有効量を含む医薬。
【請求項７】
抗エストロゲン剤が、アロマターゼ阻害剤である、請求項４、５又は６いずれか１項記載の医薬。
【請求項８】
子宮内膜症の治療又は予防のための医薬組成物の調製における、薬学的に許容される担体と一緒のＩＦＮ−γの使用。
【請求項９】
子宮内膜症の治療又は予防のための医薬組成物の調製における、薬学的に許容される担体と一緒のサイトカインアンタゴニストの使用。
【請求項１０】
子宮内膜症の治療又は予防のための医薬組成物の調製における、薬学的に許容される担体と一緒のＩＦＮ−γとサイトカインアンタゴニストとの組み合わせの使用。
【請求項１１】
抗エストロゲン剤をさらに含む、請求項７記載の医薬。
【請求項１２】
抗エストロゲン剤をさらに含む、請求項８、９又は１０のいずれか１項記載の使用。
【請求項１３】
抗エストロゲン剤が、アロマターゼ阻害剤である、請求項１１記載の医薬。
【請求項１４】
抗エストロゲン剤が、アロマターゼ阻害剤である、請求項１２記載の使用。
【請求項１５】
ｉ）医薬が、女性における子宮内膜症の治療又は予防のため、有効な用量で、十分な期間にわたり投与され得ることを示すラベルを含む包装材料、及び
ii）前記包装材料中に含有される薬剤であって、その薬剤が、薬学的に許容される担体と一緒にＩＦＮ−γを含む薬剤、
を含む製品。
【請求項１６】
ｉ）医薬が、女性における子宮内膜症の治療又は予防のため、有効な用量で、十分な期間にわたり投与され得ることを示すラベルを含む包装材料、及び
ii）前記包装材料中に含有される薬剤であって、その薬剤が、薬学的に許容される担体と一緒にサイトカインアンタゴニストを含む薬剤、
を含む製品。
【請求項１７】
ｉ）医薬が、女性における子宮内膜症の治療又は予防のため、有効な用量で、十分な期間にわたり投与され得ることを示すラベルを含む包装材料、及び
ii）前記包装材料中に含有される薬剤であって、その薬剤が、薬学的に許容される担体と一緒にＩＦＮ−γとサイトカインアンタゴニストとの組み合わせを含む薬剤、
を含む製品。
【請求項１８】
サイトカインアンタゴニストが、腫瘍壊死因子関連アポトーシス誘導リガンド、ＯＸ４０リガンド、リンホトキシンアルファ、インターロイキン１アルファ、インターロイキン−１ベータ、インターロイキン−６、インターロイキン−８、インターロイキン−１１、白血病阻害因子、Ｆａｓリガンド、オンコスタチンＭ、インターフェロンアルファ、インターフェロンベータ、インスリン成長因子−１、幹細胞因子及びヒト成長ホルモンに対するアンタゴニストからなる群より選択される、請求項２、３、５又は６のいずれか１項記載の医薬。
【請求項１９】
サイトカインアンタゴニストが、腫瘍壊死因子関連アポトーシス誘導リガンド、ＯＸ４０リガンド、リンホトキシンアルファ、インターロイキン１アルファ、インターロイキン−１ベータ、インターロイキン−６、インターロイキン−８、インターロイキン−１１、白血病阻害因子、Ｆａｓリガンド、オンコスタチンＭ、インターフェロンアルファ、インターフェロンベータ、インスリン成長因子−１、幹細胞因子及びヒト成長ホルモンに対するアンタゴニストからなる群より選択される、請求項９又は１０記載の使用。
【請求項２０】
サイトカインアンタゴニストが、腫瘍壊死因子関連アポトーシス誘導リガンド、ＯＸ４０リガンド、リンホトキシンアルファ、インターロイキン１アルファ、インターロイキン−１ベータ、インターロイキン−６、インターロイキン−８、インターロイキン−１１、白血病阻害因子、Ｆａｓリガンド、オンコスタチンＭ、インターフェロンアルファ、インターフェロンベータ、インスリン成長因子−１、幹細胞因子及びヒト成長ホルモンに対するアンタゴニストからなる群より選択される、請求項１６又は１７記載の製品。
【請求項２１】
サイトカインアンタゴニストが腫瘍壊死因子に対するアンタゴニストである、請求項３、５又は６のいずれか１項記載の医薬。
【手続補正書】
【提出日】平成17年10月12日(2005.10.12)
【手続補正１】
【補正対象書類名】特許請求の範囲
【補正対象項目名】全文
【補正方法】変更
【補正の内容】
【特許請求の範囲】
【請求項１】
構造式Ｉ：
【化１】
2005511561.tif 000001
（式中、
ＡはＯまたはＳであり；
Ｒ1はＨまたはＣ1-4アルキルから選択され；
Ｒ2部分はＨまたはＣ1-4アルキルから独立して選択され；
Ｒ3はＣ1-4アルキルから選択され；
Ｒ4はＨ、ハロゲン、Ｃ1-4アルキル、Ｃ1-4アルコキシまたはシアノから選択され、但しＲ1、Ｒ2およびＲ4が全てＨである場合Ｒ3はメチルでない）
の治療的有効量の化合物またはその薬学的に許容される塩を含む対象者における過活動膀胱または尿失禁を治療または予防するための医薬。
【請求項２】
ＡがＯであり、Ｒ1およびＲ2が全てＨであり、Ｒ3がＣ1-4アルキルであり、そしてＲ4
がＨまたはハロから選択されるが、但しＲ4がＨである場合Ｒ3はメチルでない化合物を含む、過活動膀胱および尿失禁の治療および予防のための請求項１記載の医薬。
【請求項３】
ＡがＯであり、Ｒ1、Ｒ2およびＲ4が全てＨであり、そしてＲ3がＣ2-4アルキルである
化合物を含む請求項１記載の医薬。
【請求項４】
（Ｓ）−Ｎ−［２−（３，４−ジクロロフェニル）−４−［４−（２−オキソ−５，５−ジメチル−ペルヒドロピリミジン−１−イル）ピペリジノ］ブチル］−Ｎ−メチルベンズアミド；
（Ｓ）−Ｎ−［２−（３，４−ジクロロフェニル）−４−［４−（３−エチル−２−オキソペルヒドロ−ピリミジン−１−イル）−ピペリジノ］ブチル］−Ｎ−メチルベンズアミド；
（Ｓ）−Ｎ−［２−（３，４−ジクロロフェニル）−４−［４−（２−オキソペルヒドロ−ピリミジン−１−イル）ピペリジノ］−ブチル］−Ｎ−エチルベンズアミド、および
（Ｓ）−Ｎ−［２−（３，４−ジクロロフェニル）−４−［４−（２−オキソペルヒドロ−ピリミジン−１−イル）ピペリジノ］ブチル］−４−フルオロ−Ｎ−メチルベンズアミド
から選択される化合物を含む請求項１記載の医薬。
【請求項５】
対象者がヒトである請求項１記載の医薬。
【請求項６】
薬学的に許容される塩が塩化物、硫酸塩、トシレート、メシレート、ナプシレート、ベシレート、リン酸塩、サリチル酸塩、酒石酸塩、乳酸塩、クエン酸塩、安息香酸塩、コハク酸塩、酢酸塩およびマレイン酸塩からなる群より選択される請求項１記載の医薬。
【請求項７】
１種またはそれ以上の他の医学的に適合性の治療剤を同時に投与することをさらに含む請求項１記載の医薬。
【請求項８】
他の治療剤がエストロゲン様薬剤、プロゲステロン様物質、α−アドレナリンアゴニスト、β−アドレナリン受容体遮断薬、コリン受容体遮断化合物またはコリン受容体刺激薬から選択される請求項７記載の医薬。
【請求項９】
化合物またはその薬学的に許容される塩が、局所適用、経口摂取、吸入、通気または注射から選択される生理的に許容される方法で投与される請求項１記載の医薬。
【請求項１０】
化合物またはその薬学的に許容される塩が経口的に投与される請求項９記載の医薬。
【請求項１１】
０.１〜５ｍｇ／ｋｇの化合物またはその薬学的に許容される塩が経口的に投与される請求項１０記載の医薬。
【請求項１２】
０.１ｍｇ〜２５０ｍｇの化合物またはその薬学的に許容される塩を含有する錠剤またはカプセルが経口的に投与される請求項１０記載の医薬。
【請求項１３】
一日量の範囲５〜１００ｍｇの化合物またはその薬学的に許容される塩が、一回量でまたは一日量を２、３もしくは４回に分けて吸入により投与される請求項９記載の医薬。
【請求項１４】
０.０１〜２５ｍｇ／ｋｇの化合物またはその薬学的に許容される塩が投与される請求項９記載の医薬。
【請求項１５】
治療的有効量が０.１ｍｇ〜２５０ｍｇの化合物またはその薬学的に許容される塩であり、１日に１〜４回投与される請求項１記載の医薬。
【請求項１６】
治療的有効量が５ｍｇ〜１００ｍｇの化合物またはその薬学的に許容される塩である請求項１５記載の医薬。
【請求項１７】
化合物またはその薬学的に許容される塩がカプセル、錠剤、水溶液、水性の懸濁液、非水溶性懸濁液、坐薬、エアゾールまたは粉剤として投与される請求項１記載の医薬。
【請求項１８】
（Ｓ）−Ｎ−［２−（３，４−ジクロロフェニル）−４−［４−（２−オキソペルヒドロピリミジン−１−イル）ピペリジノ］ブチル］−Ｎ−メチルベンズアミドまたはその薬学的に許容される塩および少なくとも１つの薬学的に許容される添加剤または希釈剤を含有する過活動膀胱または尿失禁を治療または予防するための医薬組成物。
【請求項１９】
過活動膀胱または尿失禁を治療または防止するための医薬の製造における（Ｓ）−Ｎ−［２−（３，４−ジクロロフェニル）−４−［４−（２−オキソペルヒドロピリミジン−１−イル）ピペリジノ］ブチル］−Ｎ−メチルベンズアミドまたはその薬学的に許容される塩の使用。
【手続補正２】
【補正対象書類名】明細書
【補正対象項目名】０００７
【補正方法】変更
【補正の内容】
【０００７】
ニューロキニン２受容体（「ＮＫ２Ｒ」）に結合する特定の化合物が過活動膀胱（「ＯＡＢ」）および尿または尿道失禁（「ＵＩ」）の治療および防止のために有用であることが現在発見された。特に、ＮＫ２Ｒ受容体に結合しＯＡＢおよびＵＩの治療および防止に有用な化合物が、構造式Ｉ：
【化１】
2005511561.tif 000002
（式中、
ＡはＯまたはＳであり；
Ｒ1はＨまたはＣ1-4アルキルから選択され；
Ｒ2部分はＨまたはＣ1-4アルキルから独立して選択され；
Ｒ3はＣ1-4アルキルから選択され；
Ｒ4はＨ、ハロゲン、Ｃ1-4アルキル、Ｃ1-4アルコキシまたはシアノから選択され、但しＲ1、Ｒ2およびＲ4が全てＨである場合Ｒ3はメチルでない）
に記載の構造を有する特定の化合物またはその薬学的に許容される塩であることが発見された。
【手続補正書】
【提出日】平成17年11月4日(2005.11.4)
【手続補正１】
【補正対象書類名】特許請求の範囲
【補正対象項目名】全文
【補正方法】変更
【補正の内容】
【特許請求の範囲】
【請求項１】
有効量の式（Ｉ）： 
【化１】
2005511594.tif 000001
式（Ｉ）
［式中：
Ｐはフェニル、ナフチル、酸素、窒素および硫黄から選択される１ないし３個のヘテロ原子を含む５もしくは６員のヘテロアリール環、または酸素、窒素および硫黄から選択される１ないし３個のヘテロ原子を含む二環式もしくは三環式のヘテロアリール環であり；
Ａは単結合、Ｃ１−６アルキレンもしくはＣ２−６アルケニレン基であり；
Ｒ１は、ハロゲン、１個もしくはそれ以上のハロゲン原子により置換されていてもよいＣ１−６アルキル、Ｃ２−６シクロアルキル、フェニル、ＣＯＣ１−６アルキル、Ｃ１−６アルコキシ、ＯＣＦ３、ヒドロキシ、ヒドロキシ−Ｃ１−６アルキル、ヒドロキシ−Ｃ１−６アルコキシ、Ｃ１−６アルコキシ−Ｃ１−６アルコキシ、ニトロ、アミノ、Ｃ１−６アルキルアミノ、ジ−Ｃ１−６アルキルアミノであり；
ｎは０、１、２、３、４もしくは５であり；
Ｒ２は、水素、Ｃ１−６アルキルであるか、または基Ｒ３と一緒になって基−（ＣＲ６Ｒ７）ｐ−を形成し、ここにＲ６およびＲ７は独立して水素もしくはＣ１−６アルキルであり、ｐは２、３もしくは４であり；
Ｒ３は、１個もしくはそれ以上のハロゲン原子に置換されていてもよいＣ１−６アルキル、ハロゲン、Ｃ１−６アルコキシであるか、または基Ｒ２と一緒になって上で定義された基−（ＣＲ６Ｒ７）ｐ−を形成するものであり；
ｍは０、１もしくは２であり；
Ｒ４は、基−Ｘ―Ｒ５であり、ここにＸは単結合、ＣＨ２、Ｏ、ＮＨもしくはＮ−Ｃ１−６アルキルであり； 
Ｒ５は、窒素、硫黄もしくは酸素から選択される１ないし３個のヘテロ原子を含む、置換されていてもよい５ないし７員の複素環または二環式複素環であり；
Ｑは、フェニル環であるか、または１個もしくは２個の窒素原子を含む６員のヘテロアリール環である］
で示される構造を有し、５−ＨＴ６受容体に選択的に結合する化合物を含む、肥満の治療および／または予防のための、あるいは摂食量を減少させるための医薬組成物。
【請求項２】
前記化合物が、Ｐがフェニル、ナフチル、ベンゾフリルもしくはベンゾチエニルである前記式（Ｉ）で示されるものである、請求項１に記載の医薬組成物。
【請求項３】
前記化合物が、Ｒ１がハロゲン（特にクロロもしくはブロモ）であるか、または１つもしくはそれ以上のハロゲン原子によって置換されていてもよいＣ１−６アルキル基である、前記式（Ｉ）で示されるものである、請求項１もしくは２に記載の医薬組成物。
【請求項４】
前記化合物が、Ｒ４がＣ１−６アルキルによって置換されていてもよいピペラジン環である、前記式（Ｉ）で示されるものである、請求項１〜３のいずれか１項に記載の医薬組成物。
【請求項５】
前記化合物が、Ｑと縮合したフェニル基とＱが一緒になって、キノリン、イソキノリンもしくはキナゾリン環を形成する、前記式（Ｉ）で示されるものである、請求項１〜４のいずれか１項に記載の医薬組成物。
【請求項６】
化合物が以下の群：
４−ｔｅｒｔ−ブチル−N−（４−ピペラジン−１−イル−キノリン−６−イル）ベンゼンスルホンアミド、
５−クロロ−３−メチル−ベンゾ〔ｂ〕チオフェン−２−スルホン酸（４−ピペラジン−１−イル−キノリン−６−イル）アミド
から選択される、請求項１〜５のいずれか１項に記載の医薬組成物。
【請求項７】
美容用製品としての、式（Ｉ）：
【化２】
2005511594.tif 000002
式（Ｉ）
［式中：
Ｐはフェニル、ナフチル、酸素、窒素および硫黄から選択される１ないし３個のヘテロ原子を含む５もしくは６員のヘテロアリール環、または酸素、窒素および硫黄から選択される１ないし３個のヘテロ原子を含む二環式もしくは三環式のヘテロアリール環であり；
Ａは単結合、Ｃ１−６アルキレンもしくはＣ２−６アルケニレン基であり；
Ｒ１は、ハロゲン、１個もしくはそれ以上のハロゲン原子により置換されていてもよいＣ１−６アルキル、Ｃ２−６シクロアルキル、フェニル、ＣＯＣ１−６アルキル、Ｃ１−６アルコキシ、ＯＣＦ３、ヒドロキシ、ヒドロキシ−Ｃ１−６アルキル、ヒドロキシ−Ｃ１−６アルコキシ、Ｃ１−６アルコキシ−Ｃ１−６アルコキシ、ニトロ、アミノ、Ｃ１−６アルキルアミノ、ジ−Ｃ１−６アルキルアミノであり；
ｎは０、１、２、３、４もしくは５であり；
Ｒ２は、水素、Ｃ１−６アルキルであるか、または基Ｒ３と一緒になって基−（ＣＲ６Ｒ７）ｐ−を形成し、ここにＲ６およびＲ７は独立して水素もしくはＣ１−６アルキルであり、ｐは２、３もしくは４であり；
Ｒ３は、１個もしくはそれ以上のハロゲン原子に置換されていてもよいＣ１−６アルキル、ハロゲン、Ｃ１−６アルコキシであるか、または基Ｒ２と一緒になって上で定義された基−（ＣＲ６Ｒ７）ｐ−を形成するものであり；
ｍは０、１もしくは２であり；
Ｒ４は、基−Ｘ―Ｒ５であり、ここにＸは単結合、ＣＨ２、Ｏ、ＮＨもしくはＮ−Ｃ１−６アルキルであり； 
Ｒ５は、窒素、硫黄もしくは酸素から選択される１ないし３個のヘテロ原子を含む、置換されていてもよい５ないし７員の複素環または二環式複素環であり；
Ｑは、フェニル環であるか、または１個もしくは２個の窒素原子を含む６員のヘテロアリール環である］
で示される構造を有し、５−ＨＴ６受容体に選択的に結合する化合物の使用。
【請求項８】
請求項７において定義される化合物を含むことを特徴とする美容用組成物。
【請求項９】
哺乳類の身体的外見を改善する非治療的方法であって、請求項７において定義された化合物、もしくはそれらの医薬上許容される塩を、食欲を減少させるのに有効な用量にて、前記哺乳類に経口投与すること、ならびに美容的に有益な体重の減少が起きるまで前記投与を繰り返すことを含む方法。
【手続補正書】
【提出日】平成17年10月26日(2005.10.26)
【手続補正１】
【補正対象書類名】特許請求の範囲
【補正対象項目名】全文
【補正方法】変更
【補正の内容】
【特許請求の範囲】
【請求項１】
ヒト等の温血動物において抗血管新生効果および/または血管透過性低下効果を生じさ
せるのに使用するための医薬の製造における、ZD6474またはその医薬として許容されうる塩とタキサンとの使用。
【請求項２】
ヒト等の温血動物において抗癌効果を生じさせるのに使用するための医薬の製造における、ZD6474またはその医薬として許容されうる塩とタキサンとの使用。
【請求項３】
前記抗癌効果が抗腫瘍効果を含む、請求項２記載の使用。
【請求項４】
電離放射線で処置されるヒト等の温血動物において抗血管新生効果および/または血管
透過性低下効果を生じさせるのに使用するための医薬の製造における、ZD6474またはその医薬として許容されうる塩とタキサンとの使用。
【請求項５】
電離放射線で処置されるヒト等の温血動物において抗癌効果を生じさせるのに使用するための医薬の製造における、ZD6474またはその医薬として許容されうる塩とタキサンとの使用。
【請求項６】
前記抗癌効果が抗腫瘍効果を含む、請求項５記載の使用。
【請求項７】
癌が肺癌である、請求項２または５に記載の使用。
【請求項８】
タキサンがパクリタキセルである、請求項１〜７のいずれかに記載の使用。
【請求項９】
タキサンがドセタキセルである、請求項１〜７のいずれかに記載の使用。
【請求項１０】
ZD6474またはその医薬として許容されうる塩とタキサンとを、医薬として許容されうる賦形剤またはキャリヤーと関連して含む医薬組成物。
【請求項１１】
ZD6474またはその医薬として許容されうる塩とタキサンとを含むキット。
【手続補正書】
【提出日】平成16年11月12日(2004.11.12)
【手続補正１】
【補正対象書類名】特許請求の範囲
【補正対象項目名】請求項１８
【補正方法】変更
【補正の内容】
【請求項１８】
１重量部の８−ヒドロキシキノリン、３．８〜４．２重量部の湿潤剤、少なくとも２０重量部のグリコール及び水を含む請求項１〜１７のいずれか１項に記載の組成物。
【手続補正２】
【補正対象書類名】明細書
【補正対象項目名】００３３
【補正方法】変更
【補正の内容】
【００３３】
成分                    重量部
金属イオンキレート剤              １
湿潤剤                          ３．８〜４．２重量部
中間溶媒（グリコール）            少なくとも２０（好ましくは少なくとも４０）
水                              キレート剤の所望の最終濃度を得るための必要量
【手続補正書】
【提出日】平成17年9月16日(2005.9.16)
【手続補正１】
【補正対象書類名】特許請求の範囲
【補正対象項目名】全文
【補正方法】変更
【補正の内容】
【特許請求の範囲】
【請求項１】
細胞増殖を調節し得る化合物を同定するための方法であって、該方法は、
以下：
ａ）試験化合物を、以下：
ｉ）配列番号２のアミノ酸配列に対して少なくとも９５％同一であるアミノ酸配列を含むポリペプチドであって、該ポリペプチドは、アミノプロテーアーゼ活性を有する、ポリペプチド；および
ｉｉ）配列番号１または配列番号３のヌクレオチド配列に対して少なくとも９５％同一であるヌクレオチド配列を含む核酸分子によってコードされるポリペプチド；
からなる群より選択されるポリペプチドを含むサンプルと接触させる工程；
ｂ）該ポリペプチドの活性を調節する試験化合物の能力を評価する工程；
ｃ）該ポリペプチドの活性を調節し得る化合物を選択する工程；
ｄ）ｃ）において同定された化合物と、該ポリペプチドを発現する細胞とを接触させる工程；
ｅ）細胞増殖に対する該化合物の効果を決定する工程；
を包含し、それらによって、細胞増殖を調節し得る化合物を同定する、方法。
【請求項２】
前記サンプルが、前記ポリペプチドまたは該ポリペプチドを発現する細胞を含む、請求項７に記載の方法。
【請求項３】
前記細胞が、肺細胞、結腸細胞、乳腺細胞、または卵巣細胞からなる群より選択される、請求項２に記載の方法。
【請求項４】
前記細胞が、肺細胞、結腸細胞、乳腺細胞、または卵巣細胞からなる群より選択される、請求項１に記載の方法。
【請求項５】
前記化合物が、低分子、ペプチド、または抗体である、請求項１に記載の方法。
【請求項６】
前記活性が、アミノプロテーゼ活性である、請求項１に記載の方法。
【請求項７】
細胞増殖を調節し得る化合物を同定するための方法であって、該方法は、
以下：
ａ）試験化合物を、以下：
ｉ）配列番号１または配列番号３のヌクレオチド配列を含む核酸分子によってコードされるポリペプチド；および
ｉｉ）配列番号２のアミノ酸配列を含む、ポリペプチド；
からなる群より選択されるポリペプチドを含むサンプルと接触させる工程；
ｂ）該ポリペプチドの活性を調節する試験化合物の能力を評価する工程；
ｃ）該ポリペプチドの活性を調節し得る化合物を選択する工程；
ｄ）ｃ）において同定された化合物と、該ポリペプチドを発現する細胞とを接触させる工程；
ｅ）細胞増殖に対する該化合物の効果を決定する工程；
を包含し、それらによって、細胞増殖を調節し得る化合物を同定する、方法。
【請求項８】
前記サンプルが、前記ポリペプチドまたは該ポリペプチドを発現する細胞を含む、請求項７に記載の方法。
【請求項９】
前記細胞が、肺細胞、結腸細胞、乳腺細胞、または卵巣細胞からなる群より選択される、請求項８に記載の方法。
【請求項１０】
前記細胞が、肺細胞、結腸細胞、乳腺細胞、または卵巣細胞からなる群より選択される、請求項７に記載の方法。
【請求項１１】
前記化合物が、低分子、ペプチド、または抗体である、請求項７に記載の方法。
【請求項１２】
前記活性が、アミノプロテーゼ活性である、請求項９に記載の方法。
【請求項１３】
細胞増殖性障害を有するかまたは細胞増殖性障害を発症する危険性がある被験体を同定するための薬学的組成物であって、該薬学的組成物は、
配列番号１または配列番号３に記載の少なくとも２５の連続したヌクレオチドを含むハイブリダイゼーションプローブを含む、
薬学的組成物。
【請求項１４】
細胞増殖性障害を有するかまたは細胞増殖性障害を発症する危険性がある被験体を同定するためのキットであって、該キットは、
第１の増幅プライマーおよび第２の増幅プライマーを備え、
該第１のプライマーは、配列番号１または配列番号３に記載の少なくとも２５の連続したヌクレオチドを含み、そして
該第２のプライマーは、配列番号１または配列番号３の相補体に由来する少なくとも２５の連続したヌクレオチドを含む、
キット。
【請求項１５】
細胞増殖性障害を有するかまたは細胞増殖性障害を発症する危険性がある被験体を同定するためのキットであって、該キットは、
ｉ）配列番号１または配列番号３のヌクレオチド配列を含む核酸分子によってコードされるポリペプチド；および
ｉｉ）配列番号２のアミノ酸配列を含む、ポリペプチド；
からなる群より選択されるポリペプチド
に選択的に結合し得る抗体を含む、
キット。
【請求項１６】
細胞増殖性障害を有する被験体を処置するための薬学的組成物であって、請求項１または請求項７において同定される、化合物を含む、薬学的組成物。
【手続補正書】
【提出日】平成17年10月24日(2005.10.24)
【手続補正１】
【補正対象書類名】特許請求の範囲
【補正対象項目名】全文
【補正方法】変更
【補正の内容】
【特許請求の範囲】
【請求項１】
（Ａ）メラガトラン又はその製剤的に許容される誘導体；及び
（Ｂ）デキサメタゾン又はその製剤的に許容される誘導体を含んでなり、成分（Ａ）及び（Ｂ）のそれぞれは、製剤的に許容されるアジュバント、希釈剤、又は担体と混合して製剤化される、組合せ製品。
【請求項２】
メラガトラン又はその製剤的に許容される誘導体、デキサメタゾン又はその製剤的に許容される誘導体、及び製剤的に許容されるアジュバント、希釈剤、又は担体を包含する医薬製剤を含む、請求項１に記載の組合せ製品。
【請求項３】
成分：
（ａ）メラガトラン又はその製剤的に許容される誘導体を製剤的に許容されるアジュバント、希釈剤、又は担体と混合して包含する医薬製剤；及び
（ｂ）デキサメタゾン又はその製剤的に許容される誘導体を製剤的に許容されるアジュバント、希釈剤、又は担体と混合して包含する医薬製剤
を含んでなり、成分（ａ）及び（ｂ）は、他の成分と一緒の投与に適している形態でそれぞれ提供されるパーツのキットを含む、請求項１に記載の組合せ製品。
【請求項４】
成分（ａ）及び（ｂ）が、その症状の１つとして炎症を特徴とする、及び／又はトロンビンの阻害が所望されるか又は必要とされる、及び／又は炎症が凝固の引き金になる役割を果たす状態の治療における連続、別々、及び／又は同時使用に適している、請求項３に記載のパーツのキット。
【請求項５】
状態が播種性血管内凝固である、請求項４に記載のパーツのキット。
【請求項６】
メラガトランの誘導体がメラガトランのプロドラッグである、請求項１〜５のいずれか１項に記載の組合せ製品。
【請求項７】
プロドラッグが式：Ｒ1Ｏ2Ｃ−ＣＨ2−（Ｒ）Ｃｇｌ−Ａｚｅ−Ｐａｂ−ＯＨ（式中、
Ｒ1は直鎖若しくは分岐鎖Ｃ1-6アルキルを表し、ＯＨ基はＰａｂ中のアミジノ水素の１つに置き換わる）のものである、請求項６に記載の組合せ製品。
【請求項８】
Ｒ1が、メチル、エチル、ｎ−プロピル、ｉ−プロピル、又はｔ−ブチルを表す、請求項７に記載の組合せ製品。
【請求項９】
Ｒ1がエチルを表す、請求項８に記載の組合せ製品。
【請求項１０】
請求項３〜９のいずれか１項に記載のパーツのキットを作製する方法であって、請求項３〜９のいずれか１項に記載の成分（ａ）を、請求項３〜９のいずれか１項に記載の成分（ｂ）と一緒にし、それによりこの２つの成分を互いと一緒の投与に好適とする、前記方法。
【請求項１１】
（Ｉ）請求項３〜９のいずれか１項に記載の成分（ａ）及び（ｂ）の１つと一緒に；
（ＩＩ）その成分を２つの成分の他方と一緒に使用するための説明書
を含んでなるパーツのキット。
【請求項１２】
その症状の１つとして炎症を特徴とする、及び／又はトロンビンの阻害が所望されるか又は必要とされる、及び／又は炎症が凝固の引き金になる役割を果たす状態の治療に使用の請求項１〜９のいずれか１項に記載の組合せ製品、又は請求項１１に記載のパーツのキット。
【請求項１３】
状態が播種性血管内凝固である、請求項１２に記載の組合せ製品。
【請求項１４】
その症状の１つとして炎症を特徴とする、及び／又はトロンビンの阻害が所望されるか又は必要とされる、及び／又は炎症が凝固の引き金になる役割を果たす状態の治療若しくは予防用医薬品の製造のための、請求項１〜９のいずれか１項に記載の組合せ製品、又は請求項１１に記載のパーツのキットの使用。
【請求項１５】
その症状の１つとして炎症を特徴とする、及び／又はトロンビンの阻害が所望されるか又は必要とされる、及び／又は炎症が凝固の引き金になる役割を果たす状態の治療若しくは予防用医薬品の製造のための、メラガトラン又はその製剤的に許容される誘導体の、デキサメタゾン又はその製剤的に許容される誘導体と一緒の使用。
【請求項１６】
状態が播種性血管内凝固である、請求項１４又は請求項１５に記載の使用。
【手続補正書】
【提出日】平成17年10月13日(2005.10.13)
【手続補正１】
【補正対象書類名】特許請求の範囲
【補正対象項目名】全文
【補正方法】変更
【補正の内容】
【特許請求の範囲】
【請求項１】
式Ｉ：
【化１】
2005511547.tif 000001
[式中、
-X=Y-は以下：
【化２】
2005511547.tif 000002
で示され、
R1は、ハロ、C1-C6アルキルおよびCF3からなる群から選択され、
R2は、ハロ、-NO2、C1-C6アルキルおよびCF3からなる群から選択され、
R3は、Ｈ、C1-C6アルキル、C1-C4アルコキシ、C1-C6アルキルチオまたはハロであり、
R4は、Ｈ、ハロ、C1-C4アルコキシ、C1-C6アルキル、-COO(C1-C6アルキル)、場合によりC1-C4アルコキシで置換されているC1-C6アルキル、シアノ、C1-C6アルキルチオ、CF3、S-フェニルおよびピリジニルからなる群から選択され、
R5は、ハロ、C1-C6アルキルまたはC1-C4アルコキシである]
で示される化合物またはその製薬上許容される塩基付加塩。
【請求項２】
N-[2,4-ジクロロベンゾイル]-5-ブロモチオフェン-2-スルホンアミドまたはその製薬上許容される塩基付加塩である、請求項１に記載の化合物。
【請求項３】
N-[4-クロロ-2-メチル-ベンゾイル]-5-クロロチオフェン-2-スルホンアミドまたはその塩基付加塩である、請求項１に記載の化合物。
【請求項４】
N-[2,4-ジクロロベンゾイル]-5-ブロモチオフェン-2-スルホンアミドナトリウム塩である、請求項１に記載の化合物。
【請求項５】
請求項１〜４のいずれかに記載の化合物を含む、感受性のある新生物の治療に適した医薬製剤。